(57)【要約】【課題】被収容物が取り出し易いヒンジリッド型パッケージを提供する。【解決手段】ヒンジリッド型パッケージは、リッド４を有するインナケース６と、インナケース６をスライド自在に収容するアウタボディ８とを有するヒンジリッド型パッケージにおいて、アウタボディ８は、一端が開口した直方体状をなしており、この開口端から一部が突出して設けられ、リッド４の開閉を案内するインナフレーム３６と、アウタボディ８の内壁に配設され、インナケース６のスライド量を規制する舌片４６とを有し、インナケース６は、商品を収容するためのケース本体１２と、ケース本体１２の固定後壁１５に第２ヒンジ２２を介して連結された可動後壁２４と、可動後壁２４に第１ヒンジ２６を介して回動可能に連結されており、アウタボディ８の開口端を開閉するリッド４と、舌片４６と係合する係合孔２０とを有している。【選択図】図４
2011098735.tif 000002
【特許請求の範囲】
【請求項１】
開口端を有するアウタボディと、
前記開口端を開閉するヒンジリッドを有し、前記アウタボディ内に収容されたインナケースと
を具備したことを特徴とするヒンジリッド型パッケージ。
【請求項２】
前記インナケースは、被収容物を収容するケース本体を含み、このケース本体の前面は開口されており、
前記ヒンジリッドは、前記ケース本体の上端に設けられた第1ヒンジを介して回動自在に連結されており、
前記アウタボディは、直方体状をなしており、前記開口端から一部が突出して設けられ、前記ヒンジリッドの開閉を案内するインナフレームを含むことを特徴とする請求項１のヒンジリッド型パッケージ。
【請求項３】
前記ケース本体は、前記第１ヒンジに連なる後壁と、前記第１ヒンジとの間の後壁部位を回動可能な可動後壁に形成する第２ヒンジとを備え、前記アウタボディ内にスライド自在に収容されており、
前記可動後壁は、前記インナケースが前記アウタボディからスライドして引き出されたとき、前記アウタボディから外側に露出することを特徴とする請求項２に記載のヒンジリッド型パッケージ。
【請求項４】
前記インナケースのスライド量を規制するストッパ手段を更に具備したことを特徴とする請求項１,２又は３に記載のヒンジリッド型パッケージ。
【請求項５】
前記ストッパ手段は、
前記アウタボディの内面に設けられたストッパ部材と、
前記インナケースに設けられ、前記ストッパ部材と係合する係合孔と
を含むことを特徴とする請求項４に記載のヒンジリッド型パッケージ。
【請求項６】
前記係合孔は、前記ケース本体の前記後壁に矩形状に形成され、
前記ストッパ部材は、前記アウタボックスの前記内面から前記ケース本体の前記後壁側に突き出た舌片であることを特徴とする請求項５に記載のヒンジリッド型パッケージ。
【発明の詳細な説明】
【技術分野】
【０００１】
本発明は、ヒンジリッド型パッケージに関し、より詳しくは、その内部に収容した商品が取り出し易いヒンジリッド型パッケージに関する。
【背景技術】
【０００２】
フィルタシガレットやシガレット等のたばこ商品は、大気、特に湿気に晒されると、その鮮度が低下し、また、環境下の不快なにおいを吸収することがある。このような不具合を防ぐため、たばこ商品のパッケージとしては、なるべく大気に晒さないようにするため、蓋付きのパッケージが採用されている。つまり、喫煙するためにたばこ商品を取り出すとき以外は、パッケージの蓋を閉めておき、鮮度の低下を極力防ぐようにしている。
【０００３】
ここで、蓋付きのパッケージとしては、例えば、特許文献１に示される紙巻き煙草などのためのヒンジ蓋付きボックスのようなヒンジリッド型パッケージが各種提案されている。
従来公知のパッケージは、ボックス形状のアウタボディを含み、アウタボディはその上端に開口端を有する。アウタボディはその内部にインナパックを収容し、このインナパックは煙草の束と、この煙草の束を包み込む内包材とを有する。
【０００４】
アウタボディの開口端はその後縁にヒンジを介してボックス形状のリッドを有し、リッドはヒンジを中心に回動し、開口端を開閉可能である。より詳しくは、パッケージはアウタボディとインナパックとの間にインナフレームを含み、このインナフレームはインナパックを囲むようなＵ字形状の横断面を有し、アウタボディの開口端を補強する。インナフレームは、アウタボディの開口端から突出する上端部分を有し、この上端部分はリッドの開閉を案内する。
【特許文献１】特開平８−５８７７７号公報
【発明の開示】
【発明が解決しようとする課題】
【０００５】
従来公知のヒンジリッド型パッケージにおいては、そのリッドを開けてたばこ商品を取り出す際、リッドは、アウタボディの上端にヒンジを介して連結されているので、開状態のリッドとアウタボディとは互いの距離が比較的近い。そのため、たばこ商品を取り出すのにリッドが邪魔になる場合がある。
また、アウタボディ内において、内包されるたばこ商品の上端とインナフレームの上端とはほぼ同じ高さに位置しており、インナフレームが邪魔をしてたばこ商品がつまみづらいことがある。このため、インナフレームの前面部分は一部が切り欠かれている。しかしながら、インナフレームはリッドの開閉を案内する機能を果たすため、両側部分は切り欠くことはできない。そのため、特にたばこ商品が全本数入っている場合などは、端のたばこ商品を抜き取るのに依然として手間取る場合がある。
【０００６】
本発明は、上記の問題を解決するために提案されたものであり、被収容物が取り出し易いヒンジリッド型パッケージを提供することを目的とする。
【課題を解決するための手段】
【０００７】
上記目的を達成するために、請求項１の本発明のヒンジリッド型パッケージは、開口端を有するアウタボディと、前記開口端を開閉するヒンジリッドを有し、前記アウタボディ内に収容されたインナケースとを具備したことを特徴とするものである。
請求項２の本発明のヒンジリッド型パッケージは、請求項１に記載のヒンジリッド型パッケージにおいて、前記インナケースは、被収容物を収容するケース本体を含み、このケース本体の前面は開口されており、前記ヒンジリッドは、前記ケース本体の上端に設けられた第1ヒンジを介して回動自在に連結されており、前記アウタボディは、直方体状をなしており、前記開口端から一部が突出して設けられ、前記ヒンジリッドの開閉を案内するインナフレームを含むことを特徴とする。
【０００８】
請求項３の本発明のヒンジリッド型パッケージは、請求項２に記載のヒンジリッド型パッケージにおいて、前記ケース本体は、前記第１ヒンジに連なる後壁と、前記第１ヒンジとの間の後壁部位を回動可能な可動後壁に形成する第２ヒンジとを備え、前記アウタボディ内にスライド自在に収容されており、前記可動後壁は、前記インナケースが前記アウタボディからスライドして引き出されたとき、前記アウタボディから外側に露出することを特徴とする。
【０００９】
請求項４の本発明のヒンジリッド型パッケージは、請求項１,２又は３に記載のヒンジリッド型パッケージにおいて、前記インナケースのスライド量を規制するストッパ手段を更に具備したことを特徴とする。
請求項５の本発明のヒンジリッド型パッケージは、請求項４に記載のヒンジリッド型パッケージにおいて、前記ストッパ手段は、前記アウタボディの内面に設けられたストッパ部材と、前記インナケースに設けられ、前記ストッパ部材と係合する係合孔とを含むことを特徴とする。
【００１０】
請求項６の本発明のヒンジリッド型パッケージは、請求項５に記載のヒンジリッド型パッケージにおいて、前記係合孔は、前記ケース本体の前記後壁に矩形状に形成され、前記ストッパ部材は、前記アウタボックスの前記内面から前記ケース本体の前記後壁側に突き出た舌片であることを特徴とする。
【発明の効果】
【００１１】
請求項１乃至請求項６に記載の本発明のヒンジリッド型パッケージは、インナケースにヒンジリッドが連結されており、しかもこのインナケースは、アウタボディと別体である。このため、ヒンジリッドを開けるだけで被収容物を取り出せるとともに、インナケースをスライドさせることによっても被収容物を取り出すことができ、パッケージの開閉形態の自由度が高く斬新である。よって、消費者の購買意欲を促進させるアピール度を向上させることができる。特に、アウタボディの開口からインナケースを所定量突出させた場合、被収容物を取り出す際にインナフレームが邪魔にならず、被収容物を取り出しやすい。
【００１２】
請求項２に記載の本発明によれば、インナフレームがアウタボディの開口端を補強するとともに、ヒンジリッドの開閉を案内する。また、ケース本体の前面は開口されているので、商品の取り出しが容易である。
請求項３に記載の本発明によれば、インナケースがスライドしてアウタボディから突出したのち、第２ヒンジを中心に可動後壁が回動して後方に傾斜させられるので、前記可動後壁の上部の第１ヒンジに連結されているヒンジリッドは、アウタボディから離れる。そのため、ヒンジリッドは、商品から離れ、商品の取り出しに際してヒンジリッドは邪魔にならず、商品がより取り出しやすくなる。
【００１３】
請求項４に記載の本発明によれば、ストッパ手段により、インナケースがアウタボディから抜け落ちることが有効に防止される。
請求項５に記載の本発明によれば、アウタボディに設けられたストッパ部材と、インナケースに設けられた係合孔との係合によりインナケースのスライド量を規制することができる。
【００１４】
請求項６に記載の本発明によれば、簡単な構成でストッパ手段を形成することができる。
【発明を実施するための最良の形態】
【００１５】
以下、本発明に係るスライド機能付きヒンジリッド型パッケージの実施の形態を図面を参照して説明する。
図１乃至４は、一実施例のヒンジリッド型パッケージを示す。
このパッケージ２は、リッド４を有するインナケース６と、このインナケース６を収容するアウタボディ８とを備えている。インナケース６は２個のインナパック１０を並列に収容可能な大きさを有し、各インナパック１０は長さが９５ｍｍのスーパーキングサイズのたばこ商品１０本を内包材により包み込んだものである。
【００１６】
インナケース６は、図４に示すように、インナパック１０を収容するためのケース本体１２と、ケース本体１２の上端に設けられた第１ヒンジ２６を介して連結されたリッド４とを備えている。
ケース本体１２は、後壁１４と、後壁１４の両側縁に連結された後壁１４よりも短尺の側壁１６と、後壁１４の下端と側壁１６の下端とに連結された底壁１８とを備えている。
【００１７】
後壁１４は、矩形状をなしており、固定後壁１５とその上部に連なる可動後壁２４とを備えている。
固定後壁１５は、その上下方向の寸法が両側縁の側壁１６が連結されている部分と同じ寸法である。この固定後壁１５の下部中央には平面視略矩形状の係合孔２０が設けられている。係合孔２０の下辺２０ａの両端部には、下方に延びる切込み２０ｂが僅かに入れられている。これにより、係合孔２０の下辺２０ａと切込み２０ｂで囲まれる領域は、後壁１４の背面側に僅かに撓むことができる。
【００１８】
可動後壁２４は、矩形状の板状の領域であり、固定後壁１５の上端に第２ヒンジ２２を介して回動可能に連結されている。より詳しくは、この第２ヒンジ２２は、固定後壁１５において両側壁１６,１６の上端間に亘って延びている。更に、可動後壁２４の上端には第１ヒンジ２６が設けられており、この第１ヒンジ２６を介してリッド４が連結されている。
【００１９】
リッド４は、第１ヒンジ２６に連結されている矩形状の天板２８と、天板２８に対し直交するように連結された矩形状の前壁３０と、天板２８と前壁３０の両側部に連結されている三角形状の側壁３２とを備えている。リッド４は第１ヒンジ２６を中心に回動可能となっている。また、両側の側壁３２の内面においては、前壁３０と接する部分に矩形状の凹部３２ａがそれぞれ設けられている。
【００２０】
アウタボディ８は、図１乃至４に示すように、一端が開口した直方体状の箱体であり、アウタボックス３４と、インナフレーム３６とを備える。
アウタボックス３４は、上端部が斜めに切り欠かれた箱体である。より詳しくは、アウタボックス３４は矩形状の前壁３８と、前壁３８よりも高さ寸法が長尺な矩形状をなし、前壁３８と対向配置された後壁４０と、前壁３８と後壁４０との両側縁を相互に連結する側壁４２と、前壁３８、後壁４０および側壁４２の下端に連結された矩形状の底壁４４とを備えている。ここで、側壁４２の上端縁４２ａは前壁３８の上端と後壁４０の上端とを結ぶように傾斜している。そのため、アウタボックス３４は、上端部に斜めの開口を有している。なお、この上端縁４２ａと前述したリッド４の側壁３２の傾斜した下端縁とはリッド４が閉じたとき、互い合致する。
【００２１】
また、アウタボックス３４の内面、つまり、後壁４０の内面には、舌片４６が配設されている。より詳しくは、後壁４０はその内面に貼付けられた矩形状の板材を有し、この板材には幅広のＵ字形をなす切り欠きが形成され、この切り欠きの中央部を起立させて舌片４６としている。ここで、舌片４６は、アウタボックス３４の内部に下向きに突出する方向に起き上がるような癖をつけて折り曲げられている。
【００２２】
インナフレーム３６は、略Ｕ字形状をなし、前面フレーム４８と前面フレーム４８の両側縁に連結された側面フレーム５０とを有する。インナフレーム３６は、アウタボックス３４の上端部の開口から部分的に突出した状態で、アウタボックス３４の内面、すなわち、アウタボックスの前壁３８および側壁４２の内面に接着されている。前面フレーム４８は、図３から明らかなように略矩形状の切り欠き凹所５２を有している。切り欠き凹所５２は、インナフレーム３６の前面部分を大きく開き、たばこ商品の取り出しを容易にしている。また、前面フレーム４８と側面フレーム５０との間のコーナー部分には、側方に僅かに突出した耳片３６ａが設けられている。耳片３６ａは、リッド４の側壁３２の内面に設けられた凹部３２ａと係合する位置に配設されており、リッド４が閉じられたとき、耳片３６ａと凹部３２ａとが相互係合して、リッド４をロックする。
【００２３】
インナケース６およびリッド４は１枚のブランクから形作ることができ、そのブランク５４は図５に示されている。
ブランク５４は、ケース本体１２の固定後壁部分となる固定後壁区域５６およびリッド４となるリッド区域５８とを有し、これら区域５６,５８は可動後壁２４となる可動後壁パネル６０を介して相互に接続されている。
【００２４】
固定後壁区域５６は、ケース本体１２の固定後壁１５となる後壁パネル６２を有し、後壁パネル６２は、第２ヒンジ２２となるヒンジライン６４を介して可動後壁パネル６０と接続されている。後壁パネル６２の両側縁には、ケース本体１２の側壁１６となる側壁フラップ６６がそれぞれ接続されている。更に、後壁パネル６２には、可動後壁パネル６０とは反対側に位置して、ケース本体１２の底壁１８となる底壁パネル６８が連なっている。底壁パネル６８の両側縁には、側壁フラップ６６に重ね合わされて接着されるインナボトムフラップ７０が配置されている。なお、後壁パネル６２には、図５からも明らかなように、上述した略矩形状の係合孔２０が形成されている。
【００２５】
リッド区域５８は、リッド４の天板２８の一部となる天板パネル７２を有し、天板パネル７２は、第１ヒンジ２６となるヒンジライン７３を介して可動後壁パネル６０と接続されている。天板パネル７２には、可動後壁パネル６０とは反対側に位置して、リッドの前壁３０の一部となる前壁パネル７４が連なっている。前壁パネル７４の両側縁には、アウタサイドフラップ７６がそれぞれ接続されており、一方、天板パネル７２の両側には、インナサイドフラップ７８がそれぞれ接続されている。これらアウタ及びインナサイドフラップ７６，７８は互いに重ね合わされることで、リッド４の側壁３２を形成する。ここで、インナサイドフラップ７８には、アウタサイドフラップ７６と隣接する辺の一部が矩形状に切り欠かれた切欠部８０が形成されている。この切欠部８０は、上述した側壁３２の凹部３２ａとなる。また、前壁パネル７４には、天板パネル７２とは反対側に位置して、リッド４の前壁３０の残部となるインナフロントフラップ８２およびリッド４の天板２８の残部となるインナトップフラップ８４が順次接続されている。
【００２６】
可動後壁パネル６０はその両側縁に可動後壁パネル６０の補強をなすインナサイドフラップ８６を有し、これらインナサイドフラップ８６は折り曲げられて可動後壁パネル６０の内面と接着される。
アウタボディ８は、アウタボックス用ブランク８８とインナフレーム用ブランク９０とから形作ることができる。
【００２７】
アウタボックス用ブランク８８は、図６に示すように、アウタボックスの前壁３８となる前面パネル９２を有しており、前面パネル９２の両側縁には、アウタボックスの側壁４２となる側面パネル９４がそれぞれ接続されている。前面パネル９２の下端には、アウタボックス３４の底壁４４の一部となる底面パネル９６が接続されている。
左右の側面パネル９４の下端には、インナボトムフラップ９８が接続されており、これらインナボトムフラップ９８は底面パネル９６に重ね合わされることで、底壁４４の補強をなす。
【００２８】
一方（例えば、図６中右側）の側面パネル９４には、前面パネル９２とは反対側に位置して、アウタボックス３４の後壁４０となる後面パネル１００が連なっている。そして、後面パネル１００の下端には、インナボトムフラップ１０２が接続され、このインナボトムフラップ１０２は底面パネル９６およびインナボトムフラップ９８と重ね合わされることで、アウタボックス３４の底壁４４の残部を形成する。
【００２９】
また、他方（例えば、図６中左側）の側面パネル９４には、前面パネル９２とは反対側に位置して、前述した舌片４６を備えた板材となる舌片フラップ１０４が連なっている。
インナフレーム用ブランク９０は、図７に示すように、インナフレーム３６の前面フレーム４８となる前面パネル１０６を有し、前面パネル１０６の両側縁には、インナフレーム３６の側面フレーム５０となる側面フラップ１０８が連なっている。ここで、インナフレーム用ブランク９０は、前面パネル１０６の切り込み凹所５２の両側に切込み１１０をそれぞれ有しており、これら切込み１１０は、図７中鎖線で示した前面パネル１０６と側面フラップ１０８との間の折り込み線と重ね合わせて形成され、前面パネル１０６側に向けて開いた縦長の略コの字形状をなしている。切込み１１０は、インナフレーム用ブランク９０を折り込み線に沿って折り込んだ際に、側面フレーム５０から外側に僅かに突出し、上述した耳片３６ａとなる。
【００３０】
本実施例の場合、ブランク５４,８８,９０は紙材からなり、それらの秤量は１８０〜２７０ｇ／ｍ２  、それらの厚みは０．２〜０．５ｍｍである。なお、具体的には、ブランク５４,８８,９０はカード紙、マニラボール紙等の何れであってもよい。上述したブランク５４,８８,９０は、図５〜７中鎖線で示した折り込み線からそれぞれ折り込まれて、インナケース６、アウタボディ８がそれぞれ成形され、この折り込み成形により、図１に示すようなリッド４を閉じた状態のパッケージ２が得られる。
【００３１】
より詳しくは、パッケージ２の折り込み成形を行う際、まず、ブランク５４の折り込み成形が行われる。すなわち、可動後壁パネル６０および固定後壁区域５６では、インナサイドフラップ８６が折り曲げられて可動後壁パネル６０に糊付けされ、そして、後壁パネル６２および可動後壁パネル６０上にインナサイドフラップ８６を介して２個のインナパック１０が載置され、この状態で、２個のインナパック１０に対して、側壁フラップ６６、底壁パネル６８およびインナボトムフラップ７０の折り込みがなされ、これらは相互に糊付けされる。また、リッド区域５８では、インナフロントフラップ８２およびインナフロントフラップ８４がそれぞれ対応する前壁パネル７４および天板パネル７２の内面に向けて折り込まれて糊付けされる。このようにしてインナパック１０を備えたインナケース６の中間体が得られる。
【００３２】
この後、アウタボックス用ブランク８８において、まず、二点鎖線で示すように前壁パネル９２および側壁パネル９４にオーバーラップさせてインナフレーム用ブランク９０を糊付けする。そして、上述の中間体を舌片フラップ１０４上に載置し、舌片フラップ１０４と後壁パネル６２と重ね合わせる。この状態で、公知の如く、中間体の回りにブランク８８を折り込むとともに、中間体の残りの部分を折り込んでいくことで、リッド４を備えたインナケース６がアウタボックス８に囲繞された図１に示すパッケージ２が成形される。ここで、後壁パネル１００の内面に舌片フラップ１０４は糊付けされた状態にある。
【００３３】
このようにしてヒンジリッド型パッケージにたばこ商品が包装されると、この後、個々のパッケージは、例えば、透明フィルムで外包される。
このパッケージ２を購入した消費者は、まず、外包フィルムを開封し、そして図２に示すようにリッド４を第１ヒンジ２６を中心とした回動により開く。この状態でたばこ商品の取り出しは可能であるが、本実施例のパッケージ２においては、その後、更に、リッド４をつまみ上げながらリッド４に連結されているインナケース６をアウタボディ８から引き上げる。これにより、インナケース６に収容されているインナパック１０がアウタボディ８から突出してくる。ここで、インナケース６がアウタボディ８内を上方へ移動すると、アウタボディ８における内壁の舌片４６がインナケース６の係合孔２０に挿通されていく。つまり、舌片４６はアウタボディ８の内方に向けて起き上がるような癖をつけて折り曲げられているので、ケース６の後壁１４に当接している間は、後壁１４に沿っているが、係合孔２０にさしかかると、舌片４６の先端は係合孔２０内に入り込んでいく。さらに舌片４６が係合孔２０内を進むと係合孔の下縁２０ａが舌片４６の付根に当接し、それ以上はインナケース６が進まなくなる。つまり、舌片４６と係合孔２０との係合により、インナケース６のスライド量は規制される。本実施例においては、アウタボディ８の上端から第２ヒンジ２２が露出する位置でケース６のスライドが止められるような位置に、舌片４６および係合孔２０の位置が設定されている。
【００３４】
このようにしてアウタボディ８の上端から第２ヒンジ２２が露出すると、可動後壁２４は第２ヒンジ２２を中心に回動可能となるので、第２ヒンジ２２を中心に可動後壁２４を回動させることにより可動後壁２４の先端に連なるリッド４をインナパック１０から大きく離すことができる。消費者はこの状態でインナパック１０を開封して中からたばこを取り出す。このように本発明のスライド機能付きヒンジリッド型パッケージは、インナパック１０をアウタボディ８から突出させることができるとともに、２つのヒンジの働きによりリッド４をインナパック１０から離せるので、たばこ商品の取り出しが容易となる。
【００３５】
逆に、インナパック１０を収納する場合は、インナケース６をアウタボディ８内へ押し込んでいく。これにより、係合孔２０も下がっていき、舌片４６は、係合孔２０から抜き出され、ケース６の後壁１４とアウタボックス３４の後壁４０との間に挟まれた状態となる。最終的にインナケース６がアウタボディ８の底面板４４に当接したところで、リッド４を被せることにより、パッケージ２を閉じることができる。
【００３６】
再度たばこを取り出す際は、上記と同じようにリッド４を開け、ケース６をアウタボディ８から引き上げればよい。
このように、本発明に係るパッケージは、リッドを閉じることにより、たばこ商品の鮮度の低下を抑えることができ、しかも消費者がパッケージを購入後、そのパッケージ内にインナパック１０をリフィルとして詰め込むためのたばこ用ケースとして使用する場合の利便性にも優れている。
【００３７】
本発明は上述した一実施例に制約されるものではなく、種々の変形が可能である。例えば、本実施例では、スーパーキングサイズのたばこ商品の１０本パックを２個収容するタイプについて説明したが、長さが８５ｍｍ程度のキングサイズのたばこ商品２０本を収容するインナパック１個を収容するタイプに適用しても構わない。また、収容できる被収容物としては、たばこ商品に限定されるものではなく、お菓子などの食品等他の商品であってもよく、本発明のヒンジリッド型パッケージは、これら商品のパッケージとしても適用することができる。
【図面の簡単な説明】
【００３８】
【図１】実施例に係るヒンジリッド型パッケージのリッドを閉じた状態を示す斜視図である。
【図２】実施例に係るヒンジリッド型パッケージのリッドを開いた状態を一部切り欠いて示す斜視図である。
【図３】実施例に係るヒンジリッド型パッケージのリッドを開き、インナケースをスライドさせて引き出した状態を示す斜視図である。
【図４】実施例に係るヒンジリッド型パッケージの構成の一部を切り欠いて示した分解斜視図である。
【図５】リッドを有するインナケースを構成するブランクの展開図である。
【図６】アウタボックスを構成するブランクの展開図である。
【図７】インナフレームを構成するブランクの展開図である。
【符号の説明】
【００３９】
２            パッケージ
４            リッド
６            インナケース
８            アウタボディ
１０          インナパック
１２          ケース本体
１４          後壁
１５          固定後壁
２０          係合孔
２２          第２ヒンジ
２４          可動後壁
２６          第１ヒンジ
４６          舌片
【図１】
2011098735.tif 000003
【図２】
2011098735.tif 000004
【図３】
2011098735.tif 000005
【図４】
2011098735.tif 000006
【図５】
2011098735.tif 000007
【図６】
2011098735.tif 000008
【図７】
2011098735.tif 000009